(57)【要約】      （修正有）【課題】水平方向の変更についての作業効率を大幅に向上でき、結果として全体の作業効率の向上にも寄与できるレーザー墨出し装置を提供する。【解決手段】ライン光が出射される本体部２３と、スタンド部３と、スタンド部３と本体部２３との間に介装されたアダプター３３とを備え、アダプター３３の上側部６７を下側部３７に対して相対的回転可能に構成すると共に、上側部６７を無線電波を介して遠隔操作により回転させる。上側部６７と共に本体部２３は回転するので、本体部２３のライン窓２７の向きが変更される。【選択図】図６
0003187728.tif 000002
【実用新案登録請求の範囲】
【請求項１】
ライン光が出射される本体部と、前記本体部を持ち上げ支持するのに利用するスタンド部と、前記スタンド部と前記本体部との間に介装され、前記スタンド部に対して前記本体部を相対的回転可能に支持させるアダプターと、前記アダプターの回転動作指令を受付ける受付部とを備えたレーザー墨出し器と、前記受付部に無線電波を介して動作指令を出す指令部とを備えたことを特徴とするレーザー墨出し装置。
【請求項２】
請求項１に記載したレーザー墨出し装置において、
レーザー墨出し器側のアダプターは、スタンド側の雄ネジ部に螺合する雌孔部を有する静止部と、本体部の雌孔部に螺合する雄ネジ部を有する回転部とを備えており、それぞれの螺合により前記スタンド部と前記本体部の間で固定され、前記静止部に対して前記回転部が相対的に回転することを特徴とするレーザー墨出し装置。
【請求項３】
請求項２に記載したレーザー墨出し装置において、
本体部はポイント光も出射されるよう構成されており、アダプターの回転部の雄ネジ部は静止部の雌孔部と同軸状で中空軸になって、前記ポイント光が通り抜けられるようになっていることを特徴とするレーザー墨出し装置。
【請求項４】
請求項３に記載したレーザー墨出し装置において、
アダプターの静止部には、雌孔部と同軸状の中空軸に対して静止状態で太陽ギアが設けられ、回転部には、前記太陽ギアと噛合して自転しながらその周囲を公転する遊星ギアが設けられており、前記遊星ギアが自転駆動されて、前記回転部が回転することを特徴とするレーザー墨出し装置。
【請求項５】
請求項４に記載したレーザー墨出し装置において、
回転部は、底部を成す支持プレートを備えた筐体と、前記支持プレートに載置されたモーターと、前記支持プレートを回転可能に貫通して下方に突出する前記モーターの回転軸と、前記回転軸の突出側に取り付けられた遊星ギアとで構成されていることを特徴とするレーザー墨出し装置。
【考案の詳細な説明】
【技術分野】
【０００１】
本考案は、レーザーによるライン光を利用するレーザー墨出し装置に関するものである。
【背景技術】
【０００２】
従来のレーザー墨出し器は、レーザー光源が内蔵され、ライン光が出射されるライン窓が設けられたものであり、ある程度の高さで設置したい場合には、特許文献１に記載のように、専用のスタンド部と併用し、このスタンド部に載置することが提案されている。
このタイプのものを使用した場合には、ライン窓の高さや方向を変える際には、垂直方向に関してはスタンド部を昇降させることで対応し、水平方向に関してはスタンド部の接地位置を動かすことで対応することになる。
【先行技術文献】
【特許文献】
【０００３】
【特許文献１】特開２０１０−６６１６４号公報
【考案の概要】
【考案が解決しようとする課題】
【０００４】
しかしながら、上記した変更はいずれも手作業で行い、特に水平方向に関しては基準ポイントもずれ易い。そのため、単純に高さや方向を変えるだけでは済まなく、その都度合わせ作業が必要となる場合が多い。
しかも、作業者は、ライン光で光った場所をマークするので、レーザー墨出し器からは離れなければならず、上記した変更のために一々戻って変更することになる。
このように、作業効率の点から、未だ改善の余地がある。
【０００５】
本考案は、上記従来の問題点に着目して為されたものであり、スタンド部に載置するタイプのレーザー墨出し器に、水平方向の向きを自動的にしかも遠隔操作により変える機構を組み入れることで、水平方向の変更についての作業効率を大幅に向上でき、結果として全体の作業効率の向上にも寄与できるものを提供することを、その目的とする。
【課題を解決するための手段】
【０００６】
本考案は上記課題を解決するためになされたものであり、請求項１の考案は、ライン光が出射される本体部と、前記本体部を持ち上げ支持するのに利用するスタンド部と、前記スタンド部と前記本体部との間に介装され、前記スタンド部に対して前記本体部を相対的回転可能に支持させるアダプターと、前記アダプターの回転動作指令を受付ける受付部とを備えたレーザー墨出し器と、前記受付部に無線電波を介して動作指令を出す指令部とを備えたことを特徴とするレーザー墨出し装置である。
【０００７】
請求項２の考案は、請求項１に記載したレーザー墨出し装置において、レーザー墨出し器側のアダプターは、スタンド側の雄ネジ部に螺合する雌孔部を有する静止部と、本体部の雌孔部に螺合する雄ネジ部を有する回転部とを備えており、それぞれの螺合により前記スタンド部と前記本体部の間で固定され、前記静止部に対して前記回転部が相対的に回転することを特徴とするレーザー墨出し装置である。
【０００８】
請求項３の考案は、請求項２に記載したレーザー墨出し装置において、本体部はポイント光も出射されるよう構成されており、アダプターの回転部の雄ネジ部は静止部の雌孔部と同軸状で中空軸になって、前記ポイント光が通り抜けられるようになっていることを特徴とするレーザー墨出し装置である。
【０００９】
請求項４の考案は、請求項３に記載したレーザー墨出し装置において、アダプターの静止部には、雌孔部と同軸状の中空軸に対して静止状態で太陽ギアが設けられ、回転部には、前記太陽ギアと噛合して自転しながらその周囲を公転する遊星ギアが設けられており、前記遊星ギアが自転駆動されて、前記回転部が回転することを特徴とするレーザー墨出し装置である。
【００１０】
請求項５の考案は、請求項４に記載したレーザー墨出し装置において、回転部は、底部を成す支持プレートを備えた筐体と、前記支持プレートに載置されたモーターと、前記支持プレートを回転可能に貫通して下方に突出する前記モーターの回転軸と、前記回転軸の突出側に取り付けられた遊星ギアとで構成されていることを特徴とするレーザー墨出し装置である。
【考案の効果】
【００１１】
本考案のレーザー墨出し装置を用いれば、レーザー墨出し器に水平方向の向きを自動的にしかも遠隔操作により変える機構を組み入れることで、作業効率の向上を図れる。
【図面の簡単な説明】
【００１２】
【図１】本考案の実施の形態に係るレーザー墨出し器の斜視図である。
【図２】図１のレーザー墨出し器の正面図である。
【図３】図１のレーザー墨出し器の分解斜視図である。
【図４】図３のアダプターの分解斜視図である。
【図５】図３のアダプターの動きの説明図である。
【図６】図１の本体部の回転移動の説明図である。
【考案を実施するための形態】
【００１３】
本考案の実施の形態に係るレーザー墨出し器１について、図面にしたがって説明する。
図１、図２に示すように、レーザー墨出し器１は、スタンド部３と、本体部２３と、アダプター３３とで構成されている。スタンド部３にアダプター３３を介して本体部２３が載置されて一体化されており、本体部２３がスタンド部３に持ち上げ支持されている。
【００１４】
まず、スタンド部３について説明する。
このスタンド部３には、図３に示すように、略正三角状で頂部に丸みがつけられた座部５が設けられている。この座部５の中心部は上下方向に貫通して断面円形の取付け孔が形成されている。長円筒部７の上端部がその取付け孔に下側から差し込まれて吊下げ支持されている。この長円筒部７には、摺動式枢着部９が外嵌されている。
また、図３で符号１１は中空の軸部を示し、この軸部１１の上端部の外周面には雄ネジが形成されて雄ネジ部１３になっている。軸部１１の下端部が上記した座部５の取付け孔に上側から摺動可能に挿入され、更に、長円筒部７の中に入れ子式に収容されており、軸部１１の座部５からの突出高さを調整できるようになっている。
【００１５】
符号１５はハンドルを示し、このハンドル１５の押圧部（図示省略）が座部５に横側から挿通されている。ハンドル１５を回すことで押圧部が進退するようになっており、押圧部の軸部が進行して軸部１１を押圧することで、軸部１１を上下移動不能に固定できる。なお、図３では、軸部１１が伸長した状態を示しており、図１、図２は縮小した状態を示している。
座部５の下面側には、３つの頂部寄りにそれぞれ支脚１７、１７、１７も取り付けられている。各支脚１７は棹状になっており、その上端部が座部５に対して回動可能に取付けられている。各支脚１７の回動方向は、長円筒部７に対して近接離間する方向になっており、３本の支脚１７、１７、１７を長円筒部７から離すと、座部５を中心として放射状に広がる。各支脚１７には固定式枢着部１９が外嵌されている。
【００１６】
３本の支脚１７、１７、１７には、３本のリンク部材２１、２１、２１が各別に対応して備えられている。各リンク部材２１の一端部は長円筒部７側の摺動式枢着部９に回動可能に取り付けられ、他端部は支脚１７側の固定式枢着部１９に回動可能に取り付けられている。
従って、摺動式枢着部９を摺動させて座部５から離れる方向にもってくると、支脚１７、１７、１７とリンク部材２１、２１、２１が放射状に等しく拡開し、安定したスタンド部３が出来上がる。また、摺動式枢着部９を摺動させて座部５に近づける方向にもってくると、支脚１７、１７、１７とリンク部材２１、２１、２１が直状に重なり合って縮閉しながら、長円筒部７側に折り畳まれる。
【００１７】
次に、本体部２３について説明する。
本体部２３の筐体２５には、レーザー光源（図示省略）が収納されている。この筐体２５の側部は概ね円筒状になっており、そこに複数のライン窓２７がレーザー光の出射方向を変えて形成されている。また、底部には、スポット窓（図示省略）が形成されている。ライン窓２７からはマークする場所を示すライン光が出射され、スポット窓からは基準とするスポット光が出射される。
筐体２５の側部には、３本の足部２９、２９、２９が等間隔に取り付けられている。各足部２９は、底部側を超えて下方に延びており、本体部２３を直に床面に設置する場合に、接地部として利用される。
筐体２５の円形底部の中心部には雌ネジ孔（図示省略）が形成されている。
また、携行用に持ち手３１が取り付けられている。
【００１８】
次に、アダプター３３について説明する。
図４に示すように、アダプター３３は断面円形の筐体３５を備えており、その筐体３５は底部の上側を浅い凹状の収容部とする下側部３７と、天部の下面側を深い凹状の収容部とする上側部６７とで構成されており、それぞれの側壁部が上下で当接して内部の収容空間を外部から隔離するようになっている。
【００１９】
下側部３７の底面側には３つのスペーサ３９が周方向に等間隔で取り付けられている。
また、下側部３７の底面部の中心には断面円形の取付け孔が形成されており、そこに内周面にネジ部が形成された雌ネジ軸４１が挿通され固定されている。この雌ネジ軸４１の上面部４３は平らな円環状になっており、等間隔で３つの雌ネジ孔４５が形成されている。雌ネジ軸４１の軸部は、凹状側で突出しており、その突出部分に太陽ギア４７が外嵌されている。
【００２０】
上記した上面部４３の相対側として、平らな円環状の取付け板４９が設けられている。取付け板４９の中心孔は雌ネジ軸４１の上面部４３の中心孔とほぼ同じ大きさになっている。但し、取付け板４９の方が、上面部４３より外径が大きくなっている。取付け板４９にも、等間隔をおいて３個の貫通孔５１が設けられている。
上面部４３の上に取付け板４９を同軸状に重ね合わされ、ネジ５３が取付け板４９の貫通孔５１を通され、雌ネジ軸４１の上面部４３の雌ネジ孔４５に螺合されて、一体化するようになっている。
【００２１】
符号５５は支持プレートを示す。この支持プレート５５は円板状で中心に円形の嵌込み孔５７が設けられている。この嵌込み孔５７の孔縁には段差が設けられており、上側の孔径が下側の孔径より大きくなっている。また、支持プレート５５の外周の板厚部には、等間隔で３つの雌ネジ孔５９が設けられている。
【００２２】
支持プレート５５の上面には、モーター６１が載置され固定されている。モーター６１の本体は、樹脂状カバーに大部分が埋め込まれているが、配線接続用に、上部の一部に孔６２が形成されて露出している。
このモーター６１の回転軸６３（図５）は、支持プレート５５に設けられた貫通孔を通されて下面から突出しており、その突出部分に遊星ギア６５が取り付けられている。
【００２３】
上側部６７は、上記した支持プレート５５に上側から被さるようになっており、円筒状の外周部の下端側に３つの貫通孔６９が等分に設けられている。上側部６７に支持プレート５５が嵌め込まれ、ネジ７１が上側部６７の貫通孔６９を通され、支持プレート５５の雌ネジ孔５９に螺合されて、一体化するようになっている。支持プレート５５と上側部６７とで画定された収容空間には、上記したモーター６１だけでなく、電源用電池と、電波受信部と、電波受信部からの信号入力に基づいてモーター６１を駆動する制御部が格納されている。
上側部６７の天部の中心部には連通孔が設けられており、その孔縁から中空の雄ネジ軸７３が立ち上がった状態で取り付けられている。
【００２４】
アダプター３３の各部は上記したように構成されており、下側部３７の上に支持プレート５５が重ね合わされ、上面部４３が支持プレート５５の嵌込み孔５７の小径側開口に嵌め込まれる。さらに、その上から、取付け板４９が大径側開口に嵌め込まれ、ネジ５３により締結されている。これにより、支持プレート５５は、上下方向の移動が規制されながら、嵌込み孔５７の軸周りに回転可能な状態で保持される。
支持プレート５５には、遊星ギア６５が取り付けられており、上記保持により、この遊星ギア６５が太陽ギア４７と噛合した状態（図５（Ａ））となる。
さらに、上側部６７が支持プレート５５に上側から被せられており、ネジ７１が貫通孔６９を通され、支持プレート５５の雌ネジ孔５９に螺合されており、支持プレート５５と上側部６７が一体化している。
【００２５】
図３は組み立てた状態を示しており、上側部６７と下側部３７とで構成された筐体３５内にモーター６１、太陽ギア４７、遊星ギア６５等が収容されている。そして、下側部３７に対して支持プレート５５は相対的に軸周りに回転可能になっており、支持プレート５５は上側部６７と一体に回転する。
従って、図５（Ａ）に示すように、モーター６１の駆動により、遊星ギア６５が矢印に示すように自転すると、静止している太陽ギア４７との噛合により、太陽ギア４７を中心として矢印に示すように公転することになる。遊星ギア６５の公転は支持プレート５５を軸周りに回転させることになるので、図５（Ｂ）に示すように、支持プレート５５と一体になった上側部６７も軸周りに回転することになる。すなわち、モーター６１の駆動により、上側部６７が軸周りに回転することになる。
【００２６】
また、上側部６７側の雄ネジ軸７３と下側部３７側の雌ネジ軸４１は同軸状になっており、その中空部分は筐体３５内の空洞部分を介して一直線状に連続して、ポイント光の通路を形成されている。この通路は、軸中心に形成されているので、上記したように上側部６７が回転してもそのまま維持される。
【００２７】
図５（Ｂ）のアダプター３３を、下側部３７側の雌ネジ軸４１に、スタンド部３の雄ネジ部１３を螺合させ、上側部６７側の雄ネジ軸７３を本体部２３の雌ネジ軸に螺合させることで、スタンド部３と本体部２３との間に介装された状態でアダプター３３の下側部３７が回転不能に固定される。従って、スタンド部３はそのままの位置で接地しながら、アダプター３３の上側部６７の静止している下側部３７に対する相対的な回転により本体部２３が回転することになる。
図１、図２がレーザー墨出し器１としての組み立て完成状態を示す。アダプター３３はスタンド部３に対して昇降可能であり、スペーサ３９がアダプター３３側とスタンド部３の座部５との間にくるので、アダプター３３側がスタンド部３側に最接近した場合にも、アダプター３３が座部５に対して傾くことはない。
【００２８】
図６で示す携帯端末７５は、操作ボタン７７（Ａ，Ｂ）が複数設けられており、アダプター３３の上側部６７の回転角度の複数設定にそれぞれ対応している。例えば、操作ボタン７７Ａが押下されれば、上側部６７は４５°回転するようになっている。
携帯端末７５の受信部には、無線電波の発信アンテナ７９が備えられており、上記した操作ボタン７７の押下を受けて、レーザー墨出し器１側のアダプター３３のモーター６１の駆動指令、すなわち本体部２３の回転の動作指令が無線電波として送出されるようになっており、指令部としての役割を担っている。
【００２９】
本考案のレーザー墨出し装置は、上記したレーザー墨出し器１と携帯端末７５とによって構成されており、携帯端末７５の操作により、本体部２３が回転して、ライン窓２７の水平方向の向きが変更される。例えば、図６（Ａ）から図６（Ｂ）のように、本体部２３が９０°回転して、ライン窓２７Ａ、２７Ｂ、２７Ｃの水平方向の向きが変更される。
しかも、本発明のレーザー墨出し器１は、ポイント光の出射位置がずれない。
従って、作業員は有る位置でマークした後は、レーザー墨出し器１に戻らずに、次にマークする位置に移動することになり、作業効率が大幅にアップする。
【００３０】
以上、本考案の実施の形態について詳述してきたが、具体的構成は、この実施の形態に限られるものではなく、本考案の要旨を逸脱しない範囲における設計の変更などがあっても発明に含まれる。
【産業上の利用可能性】
【００３１】
本考案は、レーザー墨出し器の製造業に利用できる。
【符号の説明】
【００３２】
１…レーザー墨出し器
３…スタンド部      ５…座部      ７…長円筒部      ９…摺動式枢着部
１１…軸部      １３…雄ネジ部      １５…ハンドル      １７…支脚
１９…固定式枢着部      ２１…リンク部材
２３…本体部      ２５…筐体      ２７…ライン窓      ２９…足部
３１…持ち手
３３…アダプター      ３５…筐体      ３７…下側部      ３９…スペーサ
４１…雌ネジ軸      ４３…（雌ネジ軸の）上面部      ４５…雌ネジ孔
４７…太陽ギア      ４９…取付け板      ５１…貫通孔      ５３…ネジ
５５…支持プレート      ５７…嵌込み孔      ５９…雌ネジ孔
６１…モーター      ６３…回転軸      ６５…遊星ギア      ６７…上側部
６９…貫通孔      ７１…ネジ      ７３…雄ネジ軸
７５…携帯端末      ７７…操作ボタン      ７９…発信アンテナ
【図１】
0003187728.tif 000003
【図２】
0003187728.tif 000004
【図３】
0003187728.tif 000005
【図４】
0003187728.tif 000006
【図５】
0003187728.tif 000007
【図６】
0003187728.tif 000008